(57)【要約】【課題】歯科ユニットと別系統のエア供給回路や余計な設置スペースを必要とすることなく、スプレー缶を用いたハンドピース毎の注油洗浄のような感覚的な手作業を必要とすることなく、ハンドピースの注油・洗浄作業の効率化・省力化を図ることが可能な歯科用注油装置を提供する。【解決手段】切削工具を装着可能なハンドピース２０とハンドピース２０にエアを供給するインスツルメントホース１２に繋がるホースアダプタ１３との間に装着可能なハウジング本体１１０，２１０，３１０を有し、ハウジング本体は、ハンドピース２０とホースアダプタ１３へのそれぞれの装着部であるコネクタ１１１，１１２，２１１，２１２，３１１，３１２と、２つのコネクタ間を連結するエア流路１１４，２１４，３１４と、エア流路に向けてオイルを供給するオイル収容部１１３，２１３，３１３とを有する。【選択図】図３
2019013377.tif 000002
【特許請求の範囲】
【請求項１】
切削工具を装着可能なハンドピースと該ハンドピースにエアを供給するインスツルメントホースに繋がるホースアダプタとの間に装着可能なハウジング本体を有する歯科用注油装置であって、
前記ハウジング本体は、前記ハンドピースと前記ホースアダプタへのそれぞれの装着部であるコネクタと、２つの前記コネクタ間を連結するエア流路と、該エア流路に向けてオイルを供給するオイル収納部とを有することを特徴とする歯科用注油装置。
【請求項２】
前記ハウジング本体に、前記ホースアダプタに設けられた外部駆動モータからの駆動力を前記ハンドピースに設けた切削工具装着部に伝える伝達機構をさらに備えていることを特徴とする請求項１に記載の歯科用注油装置。
【請求項３】
前記ハウジング本体に、内部駆動モータと、該内部駆動モータからの駆動力を前記ハンドピースに設けた切削工具装着部に伝える伝達機構と、をさらに備えていることを特徴とする請求項１に記載の歯科用注油装置。
【請求項４】
前記エア流路の一部に混合栓が設けられ、前記オイル収納部からのオイルが前記混合栓に供給されることを特徴とする請求項１から３のいずれか１項に記載の歯科用注油装置。
【請求項５】
前記混合栓は、前記オイル収容部から供給されるオイル量を一定に制限する開閉弁機構を有していることを特徴とする請求項４に記載の歯科用注油装置。
【請求項６】
前記ハンドピース側の前記コネクタは、前記ハンドピースが装着される前記ホースアダプタに設けられたコネクタと同じ接続機構を有し、前記ホースアダプタ側の前記コネクタは、前記ホースアダプタに装着される前記ハンドピースに設けられたコネクタと同じ接続機構を有することを特徴とする請求項１から５のいずれか１項に記載の歯科用注油装置。
【請求項７】
前記オイル収容部が、封止可能な開口部を有する着脱可能な密閉容器であることを特徴とする請求項１から６のいずれか１項に記載の歯科用注油装置。
【発明の詳細な説明】
【技術分野】
【０００１】
本発明は、歯科用注油装置に関するものであって、特に、歯科ユニットから延伸するインスツルメントホースと該インスツルメントホースに繋がるホースアダプタに接続される歯科用ハンドピースとの間に装着して、歯科ユニットからインスツルメントホースを介して供給されるエアを利用して、歯科用ハンドピース内部の注油洗浄を行うことができる歯科用注油装置に関するものである。
【背景技術】
【０００２】
歯科治療において、歯牙の切削に用いられる歯科用ハンドピース（以下、ハンドピースという。）は、数万〜数十万回転という回転数でハンドピースに装着する切削工具を回転させる。
したがって、このように高速回転するハンドピースの駆動機構は、回転性能を維持するために、こまめなメンテナンス作業が欠かせない。また、ハンドピースは、患者の口腔内で使用されることから、常に清潔さを維持する必要がある。
【０００３】
ハンドピースの回転性能および清潔さの維持のために、注油洗浄用のオイルが充填されたスプレー缶を用いて手作業でハンドピースの注油洗浄が行われているが、作業の手間や正確性の担保という点で問題がある。
そこで、ハンドピースの注油および洗浄を自動で行うハンドピース注油洗浄装置として、一定の設置スペースを占める据置き型のものが販売され、使用されている。
【０００４】
図６に示すハンドピース注油洗浄装置４００は、据置き型の一例で、筐体４１０に、注油洗浄部４２０、前面ドア４３０、操作部４４０、オイル注入口４５０等を備えている。
ハンドピース注油洗浄装置４００を用いてハンドピースの注油洗浄を行おうとする作業者は、前面ドア４３０を開いて、注油洗浄部４２０に使用済みのハンドピース２０を載置し、前面ドア４３０を閉じた後、操作部４４０を操作する。
そして、後述する注油洗浄工程を開始し、注油洗浄工程の終了後、作業者は、前面ドア４３０を開き、注油洗浄済みのハンドピース２０を取り出す。
【０００５】
注油洗浄工程は、１．ハンドピース内部に付着した不純物をエアによりある程度除去する工程、２．エアによりミスト状にしたオイルを一定時間、ハンドピース内部に適量噴出して注油洗浄を行う工程、そして、３．エアによりハンドピース内部の余剰なオイルを除去する工程からなる。
注油洗浄工程に用いるエアは、ハンドピース注油洗浄装置４００の外部に設置されるコンプレッサ等からエア供給回路により供給される。
また、ハンドピースの注油洗浄に用いるオイルは、オイル注入口４５０から、筐体４１０の内部に設けられた図示しないオイルタンクに注入される。
【０００６】
特許文献１には、継続して相当期間使用しても、フロントドアの開閉をスムーズに行う歯科用ハンドピース洗浄装置が開示されている。
また、特許文献２には、注油洗浄材が充填されたスプレー缶等の供給容器の大きさが異なっても、その大きさに応じて供給容器を保持する歯科用ハンドピース注油洗浄装置が開示されている。
さらに、特許文献３には、ハンドピースの内部に圧縮空気により、洗浄液、空気、潤滑油を順次送り込み、メンテナンス作業を容易化する歯科用ハンドピースのメンテナンス装置が開示されている。
【先行技術文献】
【特許文献】
【０００７】
【特許文献１】特開２０１０−２０７２５７号公報
【特許文献２】特開２００８−２１２２１２号公報
【特許文献３】特開平７−３０３６６１号公報
【発明の概要】
【発明が解決しようとする課題】
【０００８】
しかしながら、上述したような従来の歯科用ハンドピース注油洗浄装置は、その設置スペースの大きさから、一般に手狭である歯科医院の滅菌室、メンテナンスルーム等に設置するのが困難であり、しかも、特許文献３に記載された発明のようにエアコンプレッサを内蔵するか、エア供給回路を別途用意する必要があるという問題があった。
そのため、従来の歯科用ハンドピース注油洗浄装置を設置するスペースを確保できない場合、注油洗浄用のオイルが充填されたスプレー缶を用いて、手作業でハンドピース毎に注油洗浄を行うことになり、非常に手間がかかるという問題があった。
さらに、作業者によりオイルを注入する量にばらつきがあるため、注油不足によるハンドピースの消耗や注油過剰によるメンテナンスコストの増加を招くという問題があった。
【０００９】
本発明は、このような実情に鑑みてなされたものであり、従来の歯科用ハンドピース注油洗浄装置のような歯科ユニットと別系統のエア供給回路や余計な設置スペースを必要とすることなく、従来のスプレー缶を用いたハンドピース毎の注油洗浄のような感覚的な手作業を必要とすることなく、ハンドピースの注油・洗浄作業の効率化・省力化を図ることが可能な歯科用注油装置を提供することをその目的とする。
【課題を解決するための手段】
【００１０】
上記課題を解決するために、請求項１に係る発明は、切削工具を装着可能なハンドピースと該ハンドピースにエアを供給するインスツルメントホースに繋がるホースアダプタとの間に装着可能なハウジング本体を有する歯科用注油装置であって、前記ハウジング本体は、前記ハンドピースと前記ホースアダプタへのそれぞれの装着部であるコネクタと、２つの前記コネクタ間を連結するエア流路と、該エア流路に向けてオイルを供給するオイル収容部とを有することを特徴とするものである。
【００１１】
請求項２に係る発明は、請求項１に係る発明において、前記ハウジング本体に、前記ホースアダプタに設けられた外部駆動モータからの駆動力を前記ハンドピースに設けた切削工具装着部に伝える伝達機構をさらに備えていることを特徴とするものである。
【００１２】
請求項３に係る発明は、請求項１に係る発明において、前記ハウジング本体に、内部駆動モータと、該内部駆動モータからの駆動力を前記ハンドピースに設けた切削工具装着部に伝える伝達機構と、をさらに備えていることを特徴とするものである。
【００１３】
請求項４に係る発明は、請求項１から３のいずれか１項に係る発明において、前記エア流路の一部に混合栓が設けられ、前記オイル収容部からのオイルが前記混合栓に供給されることを特徴とするものである。
【００１４】
請求項５に係る発明は、請求項４に係る発明において、前記オイル収容部から供給されるオイル量を一定に制限する開閉弁機構を有していることを特徴とするものである。
【００１５】
請求項６に係る発明は、請求項１から５のいずれか１項に係る発明において、前記ハンドピース側の前記コネクタは、前記ハンドピースが装着される前記ホースアダプタに設けられたコネクタと同じ接続機構を有し、前記ホースアダプタ側の前記コネクタは、前記ホースアダプタに装着される前記ハンドピースに設けられたコネクタと同じ接続機構を有することを特徴とするものである。
【００１６】
請求項７に係る発明は、請求項１から６のいずれか１項に係る発明において、前記オイル収容部が、封止可能な開口部を有する着脱可能な密閉容器であることを特徴とするものである。
【発明の効果】
【００１７】
請求項１に係る発明の歯科用注油装置によれば、ハンドピースの内部を注油洗浄する際に、ハンドピースとインスツルメントホースに繋がるホースアダプタとの間に簡便に装着されるため、従来の歯科用ハンドピース注油洗浄装置のように、歯科ユニットと別系統のエア供給回路や余計な設置スペースを必要とすることなく、ホースアダプタ側から供給されるエアを利用してハンドピースを注油洗浄することが簡便に達成できるばかりでなく、従来のスプレー缶を用いたハンドピース毎の注油洗浄のような感覚的な手作業を必要とすることなく、ハンドピースの注油・洗浄作業の効率化・省力化を図ることができる。
【００１８】
請求項２に係る発明の歯科用注油装置によれば、請求項１に係る発明が奏する効果に加えて、外部駆動モータが供給する駆動力がハンドピースに伝達され、注油洗浄中にハンドピース内部のギヤ等の駆動機構を動作させるため、オイルをハンドピースの内部の隅々にまで行き渡らせることができる。
【００１９】
請求項３に係る発明の歯科用注油装置によれば、請求項１に係る発明が奏する効果に加えて、内部駆動モータが供給する駆動力がハンドピースに伝達され、注油洗浄中にハンドピース内部のギヤ等の駆動機構を動作させるため、オイルをハンドピースの内部の隅々にまで行き渡らせることができるとともに、内部駆動モータとして低トルクのモータを採用可能であるため、本来、歯牙等切削に用いる高トルクの外部駆動モータを使用する場合よりも電力消費を低減することができる。
【００２０】
請求項４に係る発明の歯科用注油装置によれば、請求項１から３のいずれか１項に係る発明が奏する効果に加えて、混合栓が、ホースアダプタ側のコネクタから供給されるエアを利用して、オイル収容部から供給されるオイルをミスト状の混合流体に高圧状態で調製するため、ハンドピースの内部を極め細やかに注油洗浄することができる。
【００２１】
請求項５に係る発明の歯科用注油装置によれば、請求項４に係る発明が奏する効果に加えて、一定に制限された適量のオイルがハンドピースの内部に供給されるため、スプレー缶を用いてハンドピースの注油洗浄作業を行うときの手作業の習熟度に依存していた手間や煩雑さを解消し、注油不足によるハンドピースの消耗や注油過剰によるメンテナンスコストの増加を防ぐことができる。
【００２２】
請求項６に係る発明の歯科用注油装置によれば、請求項１から５のいずれか１項に係る発明が奏する効果に加えて、ハンドピース側のコネクタが、ハンドピースが装着されるホースアダプタに設けられたコネクタと、また、ホースアダプタ側のコネクタが、ホースアダプタに装着されるハンドピースに設けられたコネクタと、同じ接続機構により接続するため、これらの間で接続操作が単純化され、接続負担を著しく軽減することができる。
【００２３】
請求項７に係る発明の歯科用注油装置によれば、請求項１から６のいずれか１項に係る発明が奏する効果に加えて、オイル収容部自体が交換可能になるため、オイルで手を汚さずに簡便に補充することができるとともに、市販のオイル缶を使用することができる。
【図面の簡単な説明】
【００２４】
【図１】本発明の一実施形態による歯科用注油装置にエアを供給する歯科ユニットの一例を示す全体構成図である。
【図２】本発明の一実施形態による歯科用注油装置にエアを供給する歯科ユニットから延伸するインスツルメントホースに繋がるホースアダプタとハンドピースとの接続を示す要部拡大図である。
【図３】本発明の第１実施形態による歯科用注油装置の一例を示す図である。
【図４】本発明の第２実施形態による歯科用注油装置の一例を示す図である。
【図５】本発明の第３実施形態による歯科用注油装置の一例を示す図である。
【図６】従来の歯科用ハンドピース注油洗浄装置の斜視図である。
【発明を実施するための形態】
【００２５】
以下、図面を参照しながら、本発明の歯科用注油装置に係る好適な実施形態について説明する。以下の説明において、異なる図面においても同じ符号を付した構成は同様のものであるとして、その説明を省略する場合がある。
【００２６】
図１は、歯科ユニット１０の一例を示す全体構成図である。歯科ユニット１０は、インスツルメントホルダ１１、インスツルメントホース１２、ホースアダプタ１３（次図参照）、インスツルメント１４（エアタービン、マイクロエンジン、シリンジ、スケーラ等）、モニタ１５を有する。
ここで、ハンドピースは、圧縮空気（エア）により動作するエアタービンと、電気によりモータ駆動するマイクロエンジンとに大別され、いずれをも含む総称として用いられる。
【００２７】
図２は、歯科ユニット１０から延伸するインスツルメントホース１２に繋がるホースアダプタ１３とハンドピース２０との接続を示す要部拡大図である。インスツルメントホース１２は、一端を歯科ユニット１０に接続され、各種インスツルメントを載せ置くことができるインスツルメントホルダ１１を経由して、別の一端でホースアダプタ１３に繋がり、ホースアダプタ１３を通じてハンドピース２０等の各種インスツルメントに接続される。
インスツルメントホース１２の内部には、歯科ユニット１０側とハンドピース２０側との間でエア、水、電気等を通す導管（図示せず）が形成されている。
【００２８】
図３、図４、図５は、本発明の一実施形態による歯科用注油装置の一例を示す図である。なお、本発明はこれらの例示に限定されるものではなく、特許請求の範囲によって示され、特許請求の範囲と均等の意味および範囲内でのすべての変更が含まれることが意図される。
【００２９】
（第１実施形態）
図３は、本発明の第１実施形態による歯科用注油装置１００の一例を示す図である。本実施形態による歯科用注油装置１００が注油洗浄するハンドピースとしては、エアタービンが想定される。
歯科用注油装置１００は、歯科ユニット１０からエアを供給するインスツルメントホース１２と切削工具を装着可能なエアタービン２１との間に装着可能なハウジング本体１１０を有する。
そして、ハウジング本体１１０は、コネクタ１１１，１１２と、エア流路１１４と、オイル収容部１１３とを備えている。
【００３０】
コネクタ１１１は、ハウジング本体１１０のホースアダプタ１３側に取り付けられ、ホースアダプタ１３と連結自在に接続する。
コネクタ１１２は、ハウジング本体１１０のエアタービン２１側に取り付けられ、エアタービン２１と連結自在に接続する。
エア流路１１４は、コネクタ１１１，１１２間を連結して、両コネクタ間にエア等の流体を通す。
【００３１】
インスツルメントホース１２およびインスツルメントホース１２に繋がるホースアダプタ１３の内部には、歯科ユニット１０からエアを供給するエア回路１６が設けられ、エア回路１６は、コネクタ１１１と接続するホースアダプタ１３で、メインエア回路１７とサブエア回路１８とに分岐している。
メインエア回路１７およびサブエア回路１８は、本来、後述するエアタービン２１のメインエア回路２７およびサブエア回路２８の其々と接続するために設けられている。
ハウジング本体１１０が、ホースアダプタ１３とエアタービン２１との間に介在して装着され、コネクタ１１１を介してホースアダプタ１３と接続している状態において、メインエア回路１７およびサブエア回路１８を流れるエアは、いずれもエア流路１１４に流入する。
【００３２】
エア流路１１４の一部には、混合栓１１５が設けられ、オイル収容部１１３から供給されるオイルと、コネクタ１１１を経由して供給されるエアは、混合栓１１５でミスト状の混合流体に調製され、コネクタ１１２を経由して、コネクタ１１２と接続する基部２３からエアタービン２１の内部へ流入する。
【００３３】
混合栓１１５は、オイル収容部１１３から供給されるオイル量を一定に制限する開閉弁機構を有するものとすることができる。
開閉弁機構としては、特段複雑な構造を要しない機械式のものを採用するのが望ましい。
例えば、ハウジング本体１１０に図示しない操作スイッチを設け、該操作スイッチを押すことにより、開閉弁機構は、閉鎖状態から開放状態に移行し、オイル収容部１１３からのオイルの供給を開始する。そして、所定の時間が経過すると、開閉弁機構は閉鎖状態に戻り、オイルの供給を停止する。
【００３４】
エアタービン２１の内部には、メインエア回路２７およびサブエア回路２８が設けられている。
メインエア回路２７は、切削工具装着部２４に装着する切削工具に回転力を与える駆動機構を動作させるためのエアを供給するエア回路である。
サブエア回路２８は、切削工具装着部２４付近に設けられた吹出孔２５と連通し、術者の操作により、吹出孔２５から吹き出させるエアを供給するエア回路である。
エアタービン２１の内部には、これらのエア回路以外に、図示しない注水回路やチップエア（水を霧状にするためのエア）回路が設けられていてもよい。
【００３５】
ミスト状の混合流体が、少なくともメインエア回路２７に、好ましくは、サブエア回路２８その他の回路にも流入するように、エア流路１１４は、コネクタ１１２の内部で各回路に分岐することが望ましい。
なお、エアタービン２１の内部には、図示しない排気回路が設けられ、メインエア回路２７に供給されたエアは、エアタービン２１の駆動機構に回転力を与えた後、排気回路を通って基部２３側に戻って来るが、エアタービン２１の駆動機構にオイルを無駄なく供給するよう、コネクタ１１２において、排気回路との接続部分は封鎖されていることが望ましい。
【００３６】
（第２実施形態）
図４は、本発明の第２実施形態による歯科用注油装置２００の一例を示す図である。
本実施形態による歯科用注油装置２００が注油洗浄するハンドピースとしては、マイクロエンジンが想定される。
歯科用注油装置２００の基本的な構成は、本発明の第１実施形態による歯科用注油装置１００と、図上、符号の下２桁を同じくするものは共通するので、その詳細な説明は省略する。
第１実施形態の説明におけるエアタービン２１は、適宜、マイクロエンジン２２に読み替えられる。
以下、第１実施形態と相違する点について説明する。
【００３７】
本実施形態では、ハウジング本体２１０は、第１の伝達機構２１７と、第１の伝達機構２１７に結合した駆動軸２１６と、駆動軸２１６に結合した第２の伝達機構２１８とを備えている。ここで、駆動軸２１６と、第１の伝達機構２１７と、第２の伝達機構２１８とを併せて、本実施形態における「伝達機構」という。
第１の伝達機構２１７は、ホースアダプタ１３に設けられた外部駆動モータ１９が供給する駆動力を受け、駆動軸２１６に駆動力を伝え、さらに、駆動軸２１６は、第２の伝達機構２１８に駆動力を伝える。そして、第２の伝達機構２１８は、外部駆動モータ１９による駆動力をマイクロエンジン２２に伝える。
【００３８】
マイクロエンジン２２の内部には、サブエア回路２８と駆動室２９とが設けられている。
駆動室２９は、切削工具装着部２４に装着する切削工具に回転力を与えるギヤや回転軸等の駆動機構を納める空間である。
【００３９】
オイル収容部２１３から供給されるオイルと、コネクタ２１１を経由して供給されるエアは、混合栓２１５でミスト状の混合流体に調製され、コネクタ２１２を経由して、コネクタ２１２と接続する基部２３からマイクロエンジン２２の内部へ流入する。
ミスト状の混合流体が、少なくとも駆動室２９に、好ましくは、サブエア回路２８にも流入するように、エア流路２１４は、コネクタ２１２の内部で分岐することが望ましい。
【００４０】
外部駆動モータ１９による駆動力が、マイクロエンジン２２に伝達され、注油洗浄中にマイクロエンジン２２内部のギヤ等の駆動機構を動作させるため、ミスト状のオイルをマイクロエンジン２２の内部の隅々にまで行き渡らせることができる。
【００４１】
（第３実施形態）
図５は、本発明の第３実施形態による歯科用注油装置３００の一例を示す図である。本実施形態による歯科用注油装置３００が注油洗浄するハンドピースとしては、第２実施形態と同じく、マイクロエンジンが想定される。
歯科用注油装置３００の基本的な構成は、本発明の第１実施形態および第２実施形態による歯科用注油装置１００および２００と、図上、符号の下２桁を同じくするものは共通するので、その詳細な説明は省略する。第１実施形態の説明におけるエアタービン２１は、適宜、マイクロエンジン２２に読み替えられる。
以下、第１実施形態および第２実施形態とは相違する点について説明する。
【００４２】
本実施形態では、ハウジング本体３１０は、内部駆動モータ３２１と、伝達機構３１９と、駆動軸３２０と、駆動軸３２０に結合した第２の伝達機構３１８を備えている。ここで、第２の伝達機構３１８と、伝達機構３１９と、駆動軸３２０とを併せて、本実施形態における「伝達機構」という。
伝達機構３１９は、内部駆動モータ３２１が供給する駆動力を受け、駆動軸３２０に駆動力を伝え、さらに、駆動軸３２０は、第２の伝達機構３１８に駆動力を伝える。そして、第２の伝達機構３１８は、内部駆動モータ３２１による駆動力をマイクロエンジン２２に伝える。
【００４３】
伝達機構３１９は、図示するベルトの他、チェーン、歯車等として構成されてもよい。
また、内部駆動モータ３２１を、駆動軸３２０に対し、回転軸が同一線上になる位置に配置し、内部駆動モータ３２１の駆動力が、駆動軸３２０に直に伝わる構成としてもよい。
内部駆動モータ３２１を駆動させるための電源は、インスツルメントホース１２に繋がるホースアダプタ１３を通じて、歯科ユニット１０から供給されてもよいし、ハウジング本体３１０内に充電池を設け、該充電池から供給されてもよい。
【００４４】
内部駆動モータ３２１の駆動力が、マイクロエンジン２２に伝達され、注油洗浄中にマイクロエンジン２２内部のギヤ等の駆動機構を動作させるため、ミスト状のオイルをマイクロエンジン２２の内部の隅々にまで行き渡らせることができるとともに、内部駆動モータ３２１として低トルクのモータを採用可能であるため、本来、歯牙等切削に用いる高トルクの外部駆動モータ１９を使用する場合よりも電力消費を低減することができる。
【００４５】
上記第１から第３のいずれの実施形態においても、ハンドピース２０側のコネクタ１１２，２１２，３１２は、ハンドピース２０が装着されるホースアダプタ１３に設けられたコネクタと同じ接続機構を有し、ホースアダプタ１３側のコネクタ１１１，２１１，３１１は、ホースアダプタ１３に装着されるハンドピース２０に設けられたコネクタと同じ接続機構を有することが望ましい。
ハンドピース２０側のコネクタ１１２，２１２，３１２が、ハンドピース２０が装着されるホースアダプタ１３に設けられたコネクタと、また、ホースアダプタ１３側のコネクタ１１１，２１１，３１１が、ホースアダプタ１３に装着されるハンドピース２０に設けられたコネクタと、同じ接続機構により接続するため、これらの間で接続操作が単純化され、接続負担を著しく軽減することができる。
【００４６】
また、同様に、上記いずれの実施形態においても、オイル収容部１１３，２１３，３１３が、封止可能な開口部を有する着脱可能な密閉容器であることが望ましい。オイル収容部１１３，２１３，３１３自体が交換可能になるため、オイルで手を汚さずに簡便に補充することができるとともに、市販のオイル缶を使用することができる。
【００４７】
なお、歯科ユニット１０のモニタ１５をタッチパネルとして構成し、歯科用注油装置１００，２００，３００の操作スイッチが、モニタ１５に表示自在に設けられている構成としてもよい。
この操作スイッチが押されたことを検出して、歯科ユニット１０は、インスツルメントホース１２へのエアの供給を開始し、さらに、所定のタイミングで混合栓１１５，２１５，３１５に設けられた開閉弁機構が動作する構成とすることで、作業者は、歯科用注油装置１００，２００，３００を使い慣れた歯科ユニット１０の側で操作することができる。
【００４８】
以上に説明したように、上記第１から第３の実施形態の歯科用注油装置によれば、切削工具を装着可能なハンドピース２０とハンドピース２０にエアを供給するホースアダプタ１３との間に装着可能なハウジング本体１１０，２１０，３１０を有し、ハウジング本体１１０，２１０，３１０は、ハンドピース２０とホースアダプタ１３へのそれぞれの装着部であるコネクタ１１１，１１２，２１１，２１２，３１１，３１２と、２つのコネクタ１１１，１１２，２１１，２１２，３１１，３１２間を連結するエア流路１１４，２１４，３１４と、エア流路１１４，２１４，３１４に向けてオイルを供給するオイル収容部１１３，２１３，３１３とを有することにより、従来の歯科用ハンドピース注油洗浄装置のような歯科ユニットと別系統のエア供給回路や余計な設置スペースを必要とすることなく、インスツルメントホース１２に繋がるホースアダプタ１３から供給されるエアを利用してハンドピース２０を注油洗浄することが簡便に達成できるばかりでなく、従来のスプレー缶を用いたハンドピース毎の注油洗浄のような感覚的な手作業を必要とすることなく、ハンドピース２０の注油・洗浄作業の効率化・省力化を図ることができる。
【００４９】
そして、エア流路１１４，２１４，３１４の一部に混合栓１１５，２１５，３１５が設けられ、オイル収容部１１３，２１３，３１３からのオイルが混合栓１１５，２１５，３１５に供給されることにより、ハンドピース２０の内部を極め細やかに注油洗浄することができる。
【００５０】
そして、混合栓１１５，２１５，３１５が、オイル収容部１１３，２１３，３１３から供給されるオイル量を一定に制限する開閉弁機構を有していることにより、スプレー缶を用いてハンドピースの注油洗浄作業を行うときの手作業の習熟度に依存していた手間や煩雑さを解消し、注油不足によるハンドピースの消耗や注油過剰によるメンテナンスコストの増加を防ぐことができるなど、その効果は甚大である。
【符号の説明】
【００５１】
１０…歯科ユニット、１１…インスツルメントホルダ、１２…インスツルメントホース、１３…ホースアダプタ、１４…インスツルメント、１５…モニタ、１６…エア回路、１７…メインエア回路、１８…サブエア回路、１９…外部駆動モータ、２０…ハンドピース、２１…エアタービン、２２…マイクロエンジン、２３…基部、２４…切削工具装着部、２５…吹出孔、２７…メインエア回路、２８…サブエア回路、２９…駆動室、１００，２００，３００…歯科用注油装置、１１０，２１０，３１０…ハウジング本体、１１１，２１１，３１１…コネクタ、１１２，２１２，３１２…コネクタ、１１３，２１３，３１３…オイル収容部、１１４，２１４，３１４…エア流路、１１５，２１５，３１５…混合栓、２１６…駆動軸、２１７…第１の伝達機構、２１８，３１８…第２の伝達機構、３１９…伝達機構、３２０…駆動軸、３２１…内部駆動モータ、４００…歯科用ハンドピース注油洗浄装置、４１０…筐体、４２０…注油洗浄部、４３０…前面ドア、４４０…操作部、４５０…オイル注入口。
【図１】
2019013377.tif 000003
【図２】
2019013377.tif 000004
【図３】
2019013377.tif 000005
【図４】
2019013377.tif 000006
【図５】
2019013377.tif 000007
【図６】
2019013377.tif 000008